(57)【要約】【課題】  皮膚外用剤を手に触れることなく塗布でき、塗布後は簡単に清掃できる皮膚外用剤塗布補助器具を提供する。【解決手段】  底部３及び側面部４の一部を単層又は複数層の柔軟な薄い膜で構成される被膜７で覆い、被膜７上に皮膚外用剤を必要量付着させた後、皮膚外用剤付着部分を避けて手で持って皮膚に皮膚外用剤を塗布し、皮膚外用剤の塗布終了後は最表層の膜を残った皮膚外用剤とともに本体１から剥離して清掃する。【選択図】図１
2016022353.tif 000002
【特許請求の範囲】
【請求項１】
底部３及び側面部４の一部を被膜７で覆い、被膜７に皮膚外用剤を付着させて皮膚に塗布し、塗布作業終了後は残存した皮膚外用剤の清掃を被膜７の最表層を剥離することにより行うことができることを特徴とする皮膚外用剤塗布補助器具。
【請求項２】
側面部４の一部を凹ませ、または被膜７を構成する各膜の一部につまみを付けることにより、被膜の剥離を容易にした請求項１記載の皮膚外用剤塗布補助器具。
【請求項３】
側面部４の一部、主に先端部５を尖らせまたは薄くすることによってその部分に本体１の他の部分よりも柔軟性及び弾力性を持たせた請求項１記載の皮膚外用剤塗布補助器具。
【請求項４】
被膜７は皮膚外用薬剤が浸透しないゴムやプラスチックなどの素材からなり、一枚ずつ剥離可能な単層または複数の柔軟な薄い膜により構成される請求項１又は２記載の皮膚外用剤塗布補助器具。
【発明の詳細な説明】
【技術分野】
【０００１】  本発明は、皮膚外用剤を指や手のひら（以下「手」という。）に触れさせることなく皮膚に塗布でき、かつ使用後の清掃が容易な皮膚外用剤塗布補助器具に関するものである。
【背景技術】
【０００２】  皮膚外用剤の皮膚への塗布は、必要量の皮膚外用剤を手に付着させて塗布目的の皮膚面まで運び、手で塗布や刷り込みを行うことが一般的である。【０００３】  そのため、皮膚外用剤の塗布に使用する手には塗布作業終了後も皮膚外用剤の一部が残ることが多く、その場合手を拭いたり洗浄する必要があり面倒であるほか、塗布に使用した手に皮膚外用剤の薬理的影響が及ぶことが懸念されるという欠点があった。【０００４】  特許文献１では樹脂製フィルム材の袋体容器の開口部分から透過性のある布体を通して、又は同容器の小穴から滲出させた皮膚外用薬を皮膚に塗布することとなり、皮膚と樹脂製フィルムの接触は避けがたく、特に樹脂製フィルムの断面が皮膚に触れることが想定され、その場合、人によっては不快感が生じることとなる。【０００５】  特許文献２においては、包装体中に手を挿入しての塗布作業となり、手が皮膚外用薬に触れないが蒸れるなど作業者に不快感を与える状況の発生が想定される。
【先行技術文献】
【特許文献】
【０００６】
【特許文献１】  特開２００６−１４９９９６
【特許文献２】  特開２０１２−１４０１３８
【発明の概要】
【発明が解決しようとする課題】
【０００７】  解決しようとする課題は、皮膚外用剤を皮膚に塗布する場合に手が皮膚外用剤に直接触れないようにすること、及び塗布後に残った皮膚外用剤の清掃を簡易に行えるようにすることのほか、塗布の対象とする皮膚に柔らかい感触を提供するとともに作業を行う者に手が蒸れるなどの不快感を与えないようにすることである。
【課題を解決するための手段】
【０００８】  本発明は、皮膚外用剤塗布補助器具本体（以下「本体」という。）の底部３と側面部４上を単層又は複数層の柔軟な薄い膜で構成される被膜７で覆い、被膜７上に皮膚外用剤を必要量付着させ、これを皮膚外用剤付着部分を避けて手で操作して塗布の対象とする皮膚に皮膚外用剤を塗布すること、また、皮膚外用剤の塗布終了後は被膜７の最表層を残った皮膚外用剤とともに剥離し、皮膚外用剤塗布補助器具から分離して清掃することができることを最も主要な特徴とする。
【発明の効果】
【０００９】  本発明の皮膚外用剤塗布補助器具は手が皮膚外用剤に触れずにまた作業する手を蒸らすことなく皮膚に皮膚外用剤を快適に塗布でき、加えて使用後の皮膚外用剤が残存する被膜７を容易に本体から分離できるという利点がある。【００１０】  また、弾力性を備えた本体の末端部分の特性を活かし、皮膚に触れる角度、圧力や速度を調整することにより、被膜７を介して柔らかい塗布感を生じさせることができるという利点がある。
【図面の簡単な説明】
【００１１】
【図１】皮膚外用剤塗布補助器具の斜視図である。（実施例１）
【図２】皮膚外用剤塗布補助器具の手での操作状況を示す斜視図である。（実施例２）
【図３】皮膚外用剤塗布補助器具の本体１とそれが上部突起部１１を備えたもの並びに本体１と被膜７を分離した場合の斜視図である。
【図４】皮膚外用剤塗布補助器具の本体１の取り得る形状の平面図である。
【図５】皮膚外用剤塗布補助器具の図４（ｄ）の断面図である。
【発明を実施するための形態】
【実施例１】
【００１２】  図１は、本発明器具に係る斜視図で各部位の名称と番号は、本体１、上部２、底部３、側面部４、先端部５、後端部６、被膜７、被膜剥離用つまみ部８、底部へり部９、被膜剥離時に利用可能な凹み部１０（以下「凹み部１０」という。）、また上部突起部１１である。
【実施例２】
【００１３】  図２は、本発明器具を右手で保持している図であって、通常このような形で底部３の被膜７上に必要量の皮膚外用剤を付着させてそれに手が触れないように操作する。【００１４】  図３（ａ）は図１から被膜７を除いた場合の本体１の斜視図で、図３（ｂ）は（ａ）に上部突起部１１を加えた場合のものであり、（ａ）に比べて手との接触部分が増すことにより、操作性の向上が期待でき、本体１はこのような構造も取りえることを示している。【００１５】  図３（ｃ１）と（ｃ２）は、図１の皮膚外用剤塗布補助器具を本体１と被膜７を分離した場合の図である。被膜７は複数の薄い被膜による多層構造を取り得る。【００１６】  図４（ｄ）、（ｅ）、（ｆ）、（ｇ）は本体１の形状を変化させた場合の平面図で、（ｄ）を基本とし、（ｄ）を除き凹み部１０を省略して示したもので、楕円、円、三角形、方形を代表として示してあるが、他の多角形やこれらの形状の組み合わせにより多様な形状を取り得る。【００１７】  図５（ｈ）は、図４（ｄ）におけるＡ−Ａの断面図で、本体１の素材がスポンジなど弾力性がある場合の構造で、本体１全体が同一素材で構成されている場合を示しているが、弾力性や厚さの異なる素材を重ねたものでもよい。また、底部３と側部４の一部が多層構造の被膜７で覆われていることを示す。【００１８】  図５（ｉ）は図４（ｄ）におけるＢ−Ｂの断面図で、特に後端部６に凹み部１０及び被膜剥離用つまみ８を示すが、これらの設定位置は、本体の周囲である側部４上の任意の位置に設定可能である。また、凹み部１０及び被膜剥離用つまみ部８の両方又はこれらの一方を欠く皮膚外用剤塗布補助器具であっても、基本的な機能は満たしており、そのような構成も取り得る。【００１９】  図５（ｊ）は、本体１の素材が硬質プラスチックなど、スポンジなどと比べて弾力性が乏しい場合の構造で、図５（ｋ）は本体１内部を中空構造にするほか、先端部５を本体１の他の部分と比べて薄くして弾力性を持たせる構造としている。図５で被膜７を構成する層数を３としているが、例示であり、これ以上の層数も取り得る。
【産業上の利用可能性】
【００２０】  打撲などの疾患に対して皮膚外用剤の塗布を行う医療現場や家庭でのほか、個人自ら又は他の人へ、また人以外の動物などに皮膚外用剤を塗布する際にこの皮膚外用剤塗布補助器具を使用することにより効率的で快適な塗布作業が可能となり、加えて作業者への皮膚外用剤の薬理的影響からの回避が可能となる。
【符号の説明】
【００２１】１    本体
２    上部
３    底部
４    側面部
５    先端部
６    後端部
７    被膜
８    被膜剥離用つまみ部
９    底部へり部
１０  被膜剥離時に利用可能な本体の凹み部
１１  上部突起部
【図１】
2016022353.tif 000003
【図２】
2016022353.tif 000004
【図３】
2016022353.tif 000005
【図４】
2016022353.tif 000006
【図５】
2016022353.tif 000007